(57)【要約】【課題】  ハードディスク装置の記録データの中で未ダビングデータをＤＶＤにダビングする場合において、ハードディスク内にダビング済みデータと未ダビングデータが混在している場合があり、ダビング開始前に未ダビングのデータのみを容易に選択することができない。【解決手段】  ダビング機能を備えた記録再生装置において、第１の記録媒体（例えばハードディスク）から第２の記録媒体（例えばＤＶＤ）へ記録データをダビングする場合、メニューなどから選択して未ダビングの記録データのみをダビング前に表示させる。  また例えば、選択されたダビング元の前記記録データが1枚のＤＶＤに入りきらない場合、ダビング先の記録媒体に応じて、どの記録データが２枚目又は３枚目にダビングされるかの情報をダビング前に表示する。【選択図】  図２
2008140468.tif 000002
【特許請求の範囲】
【請求項１】
映像音声情報を記録する第１の記録媒体と第２の記録媒体に映像音声情報を記録再生する記録再生手段と、前記第１の記録媒体から前記第２の記録媒体へダビングする映像音声情報を選択する表示画面を表示手段に表示させ、前記第１の記録媒体から前記第２の記録媒体へ映像音声情報をダビングするダビング制御手段とを備え、前記ダビング制御手段は、ユーザの指示に応じ、前記第１の記録媒体に記録されている映像音声情報のうち未ダビングの映像音声情報のみを前記表示画面に一覧表示することを特徴とする記録再生装置。
【請求項２】
請求項１に記載の記録再生装置において、前記ダビング制御手段は、ユーザの指示に応じ、前記第１の記録媒体に記録されている映像音声情報のうち未ダビングの映像音声情報のみを自動選択し、前記第２の記録媒体へダビングすることを特徴とする記録再生装置。
【請求項３】
請求項１に記載の記録再生装置において、前記第２の記録媒体が取り出し可能な記録媒体の場合、前記ダビング制御手段は、前記第１の記録媒体から前記第２の記録媒体へダビングする映像音声情報が、前記取り出し可能な第２の記録媒体のいくつ目にダビング可能かを区別表示することを特徴とする記録再生装置。
【請求項４】
請求項３に記載の記録再生装置において、前記ダビング制御手段は、区別表示された映像音声情報を、前記取り出し可能な第２の記録媒体を交換しながらダビング制御することを特徴とする記録再生装置。
【請求項５】
請求項１に記載の記録再生装置において、前記ダビング制御手段は、前記第１の記録媒体に記録されている未ダビングの映像音声情報から、ダビングしたい映像音声情報をユーザが選択可能とすることを特徴とする記録再生装置。
【請求項６】
請求項２、４、５に記載の記録再生装置において、前記ダビング制御手段は、前記第２の記録媒体へダビング済みの映像音声情報を、前記第１の記録媒体から削除することを特徴とする記録再生装置。
【請求項７】
複数の情報と前記複数の情報を管理する管理情報が記録されている第１の記録媒体から前記複数の情報の一部または全部を再生し、前記再生した情報を第２の記録媒体に記録する記録再生手段と、
前記第１の記録媒体に記録されている管理情報であって、前記第１の記録媒体に記録されている前記複数の情報のうち、前記第１の記録媒体から再生して前記第２の記録媒体に記録した情報に対応する管理情報に、前記第１の記録媒体から再生して前記第２の記録媒体に記録した旨のフラグを付加するフラグ付加手段と、
前記第１の記録媒体に記録されている前記複数の情報のうち、対応する管理情報に前記フラグが付加されていない情報を再生して表示手段に一覧表示し、前記表示された情報のうち、前記第２の記録媒体に記録する情報を選択し、前記選択された情報を前記第２の記録媒体に記録するように制御する制御手段と、
を備えることを特徴とする記録再生装置。
【請求項８】
複数の情報と前記複数の情報を管理する管理情報が記録されている第１の記録媒体から前記複数の情報の一部または全部を第２の記録媒体にダビングする記録再生手段と、
前記第１の記録媒体に記録されている管理情報であって、前記第１の記録媒体に記録されている前記複数の情報のうちダビングした情報に対応する管理情報に、ダビングした旨のフラグを付加するフラグ付加手段と、
前記第１の記録媒体に記録されている前記複数の情報のうち、対応する管理情報に前記フラグが付加されている情報と付加されていない情報の双方を一覧表示する第１の表示画面と、前記フラグが付加されている情報のみを一覧表示する第２の表示画面と、前記フラグが付加されていない情報のみを一覧表示する第３の表示画面とを、ユーザの指示に応じ切り替えて、表示手段に表示するように制御する制御手段と、
を備えることを特徴とする記録再生装置。
【請求項９】
複数の情報が記録されている第１の記録媒体から前記複数の情報の一部または全部を、複数の取り出し可能な第２の記録媒体に順次ダビングする記録再生手段と、
前記第１の記録媒体から前記第２の記録媒体にダビングする情報を選択する選択手段と、
前記選択手段により選択された情報の総容量が前記第２の記録媒体１つの容量より多い場合、前記選択手段により選択された情報それぞれの容量と前記第２の記録媒体１つの容量を用いて、前記選択手段により選択された情報が前記複数の取り出し可能な第２の記録媒体のいくつ目にダビングされるかを求め、前記選択手段により選択された情報を、各情報がダビングされる前記第２の記録媒体ごとに区別して表示手段に表示するように制御する制御手段と、
を備えることを特徴とする記録再生装置。
【発明の詳細な説明】
【技術分野】
【０００１】
本発明は、記録再生装置に係る。
【背景技術】
【０００２】
本技術分野の背景技術として、例えば、特開２００６−８０８９０号公報（特許文献１）がある。該公報には、課題として、「ＨＤＤに記録した映像音声情報の数が多くなるときにも、捜す手間の増加を招くことなく、所望する映像音声情報をディスクにダビングする。」と記載されており、解決手段として、「装置側記録媒体３に記録された映像音声情報を、記録媒体ドライブ部２を介して取出可能記録媒体１７にダビングするダビング制御手段１２と、映像音声情報に対応付けられた参照用情報を参照することによって、入力された検索条件に該当する映像音声情報を検索する検索表示手段１１とを備えた構成において、検索表示手段１１は検索条件の入力の受け付けを行うとともに入力された検索条件に該当する映像音声情報を検索してダビング対象に設定し、ダビング制御手段１２は検索表示手段１１によりダビング対象に設定された映像音声情報を取出可能記録媒体１７にダビングする。」と記載されている（要約参照）。
【０００３】
【特許文献１】特開２００６−８０８９０号公報
【発明の開示】
【発明が解決しようとする課題】
【０００４】
近年ハードディスクやＤＶＤなどの記録媒体が一般的になり、記録媒体に記録した動画像データや静止画像データを用途に応じて他の記録媒体にダビングすることが行われている。例えばハードディスクは大記録容量であるがリムーバルな記録媒体ではないため再生環境の汎用性がなく、一方ＤＶＤについては、記録容量は少ないがリムーバルな記録媒体であるため、他の再生環境での汎用性が高いことなどがあげられる。そこで、ＨＤＤ/ＤＶＤレコーダなどではハードディスクに記録した番組の記録データを他の再生環境で再生するためにＤＶＤにダビングすることが行われている。また、ビデオカメラでも同様に撮影した記録データを他の記録媒体にダビングすることが行われている。ＤＶＤはもともとライブラリーとしての保存方法にも適しているため、記録データの再生環境だけでなく保存環境としてのメリットもある。
【０００５】
ダビングを行う際には、単一の記録データのみをダビングしたい場合もあるし、複数の記録データをダビングしたい場合もある。また、記録媒体に記録された全データをダビングしたい場合などもある。ここで、通常ユーザは記録データの一覧をナビゲーション表示などで確認しながら、ダビングしたい記録データを選択してダビングを開始することになる。
【０００６】
しかしながら、複数の記録データの中から所望の記録データを選択することは、非常に困難であり時間と手間を要することになる。近年では記録媒体の大容量化も進んでいるため、１つの記録媒体に記録できるデータ数はますます増える傾向にある。そこで、記録したデータのタイトルや、日付、記録開始時間、データ量、グループなどを検索し、ダビングしたい所望の記録データを簡単に選択できる方法などが重要となっている。
【０００７】
記録媒体に記録された記録データを他の記録媒体にダビングする際にもう一つ問題になるのが、ダビング先の記録媒体の記録容量である。ダビング元の記録データを複数選択してダビングを行いたい場合などにおいて、ダビング元の記録データの容量合計がダビング先の記録媒体の容量をオーバしてしまう可能性がある。その際には選択をやり直す必要がある。そこで、例えば前記特許文献１に記載の従来技術では、ナビゲーション上に容量オーバの表示を行ってユーザに記録データの選択の見直しを促がしたり、記録データの再圧縮をしてダビングする容量を減らす方法などが開示されている。
【０００８】
ところで、上記したようにダビングを行った記録データについては、ダビング元の記憶媒体に前記記録データを保存しておくコピーモードと、ダビング元の記憶媒体の前記記録データを削除する移動モードが上げられる。ここで、コピーモードでダビングを行った場合、ダビング元の記録媒体にダビング済みの記録データと未ダビングの記録データが混在することになる。ダビング済みと未ダビングの前記記録データが混在していると、記録データの一覧をナビゲーション表示などで確認した際などに、どの記録データを他の記録媒体にダビングしたのかの判断がつかなくなってしまう。そこで、前記特許文献１に記載の従来技術では、ナビゲーション上にダビングの有無を表示し、既にダビングしたかどうかをユーザが判断できるようにしている。しかしながら、近年記録媒体の容量が増えており記録データの数が多くなってくると、ダビングの有無の表示から既にダビングしたかどうかの判断をするだけでも時間と手間を要するようになる。
【０００９】
また、複数の記録データを選択しダビングを行う場合には、ダビング先の記録媒体の容量が少ない場合もあり、その場合に入りきらない記録データは他の記録媒体にダビングする必要がある。例えばダビング先の記録媒体がＤＶＤの場合には、1枚の容量に入りきらない場合には、２枚目、３枚目と新たなＤＶＤを使用する必要がある。特許文献１に記載の従来技術では、1枚目に相当する容量オーバの表示はおこなっているが、その２枚目、３枚目の容量オーバについては記載されていない。
【００１０】
そこで、本発明の目的は、記録再生装置の使い勝手を向上することである。例えば、上記課題を解決しユーザがダビングをより簡単に行うことができる記録再生装置を提供する。
【課題を解決するための手段】
【００１１】
上記課題を解決するため、本発明のある一面の概要は、第１の記録媒体（例えばハードディスク）から第２の記録媒体（例えばＤＶＤ）へ記録データをダビングする場合、メニューなどから選択して未ダビングの記録データのみをダビング前に表示させる。
【００１２】
また、本発明の別のある一面の概要は、選択されたダビング元の前記記録データが1枚のＤＶＤに入りきらない場合、ダビング先の記録媒体に応じて、どの記録データが２枚目又は３枚目にダビングされるかの情報をダビング前に表示する。
【００１３】
詳細には、上記目的を達成するため、本発明は、特許請求の範囲に記載の構成とする。
【発明の効果】
【００１４】
以上述べたことから本発明によれば、記録再生装置の使い勝手が向上する。例えば、ダビング機能を有する記録再生装置において、未ダビングの記録データをいち早く選択することができ、どの記録データがどの記録媒体にダビングされるのかを、ユーザが認識できるので、ユーザは簡易にダビングすることができる。
【００１５】
上記以外の課題、手段、効果は後述する実施例によって明らかにされる。
【発明を実施するための最良の形態】
【００１６】
本発明の実施に好適な実施形態の例を説明する。映像記録装置としてハードディスクドライブ（以下、ＨＤＤと略す）とＤＶＤ（Digital Versatile Disc）ドライブとを内蔵したデジタルビデオカメラ（以下、単にビデオカメラともいう）を用いて説明する。
【００１７】
なお、本発明は、撮影と停止を細かく繰り返して撮影することで一つ一つのシーンが放送番組などに比べると短めなことも多い、放送番組と異なり撮影順に保存することが多い（放送番組だと録画順というより例えば同じドラマなどの括りで記録することが多いのに対し）、親が子供を撮影することも多く簡便な操作性が求められる、撮影した映像を手軽にプレーヤで再生したい、等の要求があるビデオカメラに特に有効である。ただし、据え置き型のＨＤＤ/ＤＶＤレコーダ等の他の製品にも有効である。
【００１８】
また、ＤＶＤに限定されず、例えばＢＤ（Blu-ray Disc）やＨＤ（High Definition）−ＤＶＤなどの他の光ディスクであってもよい。また、ＨＤＤと光ディスクの組み合わせに限定されず、例えばＨＤＤと半導体メモリ、光ディスクと半導体メモリとの組み合わせであってもよい。
【実施例１】
【００１９】
実施例１を、図１〜図１３、１５〜１７を用いて説明する。
【００２０】
（１）構成概要
図１は、ビデオカメラの構成例を示すブロック図である。
【００２１】
画像を撮影する撮像部１１では、システム制御部１９によってレンズのズームやアイリスが制御されており、撮影した映像を撮像素子（ＣＣＤ（Charge Coupled Devices）センサやＣＭＯＳ（Complementary Metal Oxide Semiconductor）センサ）で電気信号に変換し、ノイズの除去や信号増幅などが行なわれた後デジタル信号に変換される。
【００２２】
撮像部１１から出力されたデジタル信号は、映像処理部１２においてノイズ除去等の各種信号処理が施され、デジタル映像信号となる。映像処理部１２から出力されるデジタル映像信号は、映像画面作成部１３により文字情報等が重畳され、ＬＣＤ（Liquid Crystal Display）やＥＶＦ（Electric View Finder）などの映像表示部１８に送られ撮影中の映像を表示する。なお映像表示部１８は、ＥＬＤ（Electro Luminescence Display）などＬＣＤ以外のディスプレイであってもよい。また、映像表示部１８のＬＣＤとＥＶＦをそれぞれ側面表示部、ファインダー部といって区別することもある。
【００２３】
また、映像処理部１２から出力されるデジタル映像信号は、符号化・複号化処理部１４にも送られ、動画の場合には例えばＭＰＥＧ２（Moving Picture Experts Group 2）方式で圧縮、符号化された後、選択されているモードに応じて、第１の記録部であるＨＤＤ１５または第２の記録部であるＤＶＤドライブ１６において記録される。
【００２４】
一方、静止画の場合には、例えばＪＰＥＧ（Joint Photographic Experts Group）方式で圧縮され、メモリーカード１７に記録される。このように、動画を記録できる記録部として、ＨＤＤ１５とＤＶＤドライブ１６の２つを備えている。ここで、本実施例では、ＨＤＤ１５は１．８インチで記録容量は３０ＧＢ（あるいは１インチで記録容量は８ＧＢ）、ＤＶＤドライブ１６には８ｃｍＤＶＤがドライブできるようになっている。尚、８ｃｍＤＶＤの記録容量は１層で約１.４ＧＢである。
【００２５】
また、本ビデオカメラ全体はシステム制御部１９により制御されており、ユーザからの各種操作や情報入力は操作部２０により行われる。操作部２０の配置例を図１５で説明する。
【００２６】
図１５は、ビデオカメラの外観例を示す。図１５（ａ）は横正面図、図１５（ｂ）は後方斜視図である。
【００２７】
本ビデオカメラの後方部（撮影者側）には電源入／切及びモード切替用の電源・モード切替スイッチ１５０８が配置されている。また、ＤＶＤディスクを挿抜するためのＥＪＥＣＴスイッチ１５０９が配置されている。左側面部には映像表示部１８であるＬＣＤを収納したＬＣＤ部（側面表示部）１５０７がある。ＬＣＤは開閉及び回転しＬＣＤ表示部を外側（図１５（ａ）では紙面側にひっくり返した向き）に向けることもできるようになっている。さらに、ＨＤＤ１５からＤＶＤドライブ１６に挿入したＤＶＤにワンタッチでダビング処理に移行するためのダビングボタン１５０５（図１の２０１）、ナビゲーション画面を表示するためのディスクナビゲーションボタン１５０４、カーソルボタン１５０６、処理を終了、停止させるための停止ボタン１５１０が配置されている。
【００２８】
ＬＣＤ部１５０７を開いてＬＣＤの表示部を外側に向けた状態では、ダビングボタン１５０５及びディスクナビゲーションボタン１５０４、カーソルボタン１５０６が画面と同じ側にあるので、ダビング操作をするときに使い勝手がよい。
【００２９】
（２）動作概要
ＨＤＤ１５からＤＶＤドライブ１６に装着されたＤＶＤにダビングする場合の動作の概要を図１、図１５を参照しつつ説明する。
【００３０】
操作部２０からの操作により電源オン・ＨＤＤモードにしさらにディスクナビゲーションボタン（図１５の１５０４）を押すと、画面情報生成部１９２はＨＤＤ１５に記憶されている各シーンのサムネイル画情報を読み出し、サムネイル情報格納部１９４に格納する。また、ＨＤＤに記憶されているダビング済み情報を読み出し、ダビング情報格納部１９３に保存する。システム制御部１９は読み出したサムネイル情報とダビング済み情報をもとにダビング情報を付加したサムネイル一覧画面情報を生成し、映像画面生成部１３に送る。映像画面生成部１３ではサムネイル一覧画面情報を元にサムネイル一覧画面（ナビ画面）を生成し、映像表示部１８のＬＣＤで表示する。
【００３１】
この状態で、ユーザが操作部２０のダビングボタン２０１を押すと、システム制御部１９はダビングボタン２０１が押されたことを検知して、ダビング処理に移行する。
【００３２】
画面情報生成部１９２は、ダビングメニュー画面情報を生成し、映像画面生成部１３に送る。映像画面生成部１３でダビングメニュー画面（ナビ画面）を生成し、映像表示部１８のＬＣＤで表示する。ここでユーザはＨＤＤに記録してある全シーンをダビングするのか(全シーンダビング)、まだダビングしていないシーンのみを全部ダビングするのか(未ダビングの全シーンダビング)、シーンを選択してダビングするのか(選択ダビング)などのダビングモードをダビングメニューから決定する。例えばまだ未ダビングの全シーンダビングをするモードを選択した場合、まずシステム制御部１９はＨＤＤ１５やＤＶＤドライブ１６に装着されているＤＶＤの情報を入手しダビングできるかの動作状態をチェックする。そして、ＨＤＤ１５に記録されている未ダビングのシーンの数やデータ量等の情報をダビング情報格納部から読み出し、ＤＶＤドライブ１６に装着されているＤＶＤの記録残容量とから装着されているＤＶＤへダビングできるシーンを選択するように、選択シーン算出部１９１により算出する。選択シーン算出部１９１では、ＨＤＤ１５に記録されている未ダビングのシーンのみを順番に、装着されているＤＶＤの残容量以下のデータ量となるまで選択し、ダビング対象シーンとして選択する。
【００３３】
ここで、装着されているＤＶＤに収まらない選択シーンがある場合には、選択シーンの色分けなどで、２枚目、３枚目になど、何枚目のＤＶＤにどの未ダビングシーンをダビングできるかどうかを表示する。なお、１枚目はＤＶＤ情報を入手しているので、その入手した記録可能容量を用いればよいが、２枚目、3枚目などは、既にデータが記録されていて記録可能容量の少ないＤＶＤが使用される可能性もあるが、標準的な８ｃｍＤＶＤの容量１．４ＧＢで見積もればよい。そしてユーザは選択されたシーンを確認しダビングの実行をおこなう。
【００３４】
図１６は、本実施例による対象シーンのデータの選択例を示す。選択シーン算出部１９１による対象シーンのデータの選択例を図１、図１６を用いて説明する。なお使用するＤＶＤの残容量は１．４ＧＢとする。ＨＤＤ１５に記録されているシーンＡのデータ量は０．５ＧＢ、シーンＢのデータ量は０．５ＧＢ、シーンＣのデータ量は０．２ＧＢ、シーンＤのデータ量は０．５ＧＢ、シーンＥ、Ｆ、Ｇ、Ｈのデータ量は０．３ＧＢ、シーンＩのデータ量は０．５ＧＢ、シーンＪ，Ｋのデータ量は０．３ＧＢの場合で説明する。また、ＨＤＤ上に未ダビングまたは、ダビング済みの情報をダビングの管理情報エリアに保存しておくものとする。
【００３５】
ディスクナビゲーションボタン１５０４が押されると、図１のシステム制御部１９はＨＤＤから記録された各シーンのサムネイル情報、ダビング済み情報(図１６（ｂ）)を読み込み、ナビゲーション画面を作成し映像画面作成部１３でナビゲーション画面を生成し、映像表示部１８のＬＣＤで表示する。ＨＤＤ内には、図１６の(a)のようにＡからＫのデータが記録されているため、ＡからＫまでのサムネイルが表示されることになる。また、ダビング済みのシーンＣ、Ｆ、Ｈ、Ｋにはダビング済みマークが表示されている。ここで、ダビングボタン１５０５を押し、ダビングメニューから未ダビングの全シーンダビングを選択すると、図１のシステム制御部１９は１９３のダビング情報格納部からのダビング情報を元に選択シーン算出部１９１でダビング済みシーンと未ダビングシーンを判別し、未ダビングシーンのみを選択する。そして未ダビングシーンのみをナビゲーション画面に表示する。図１６の(b)の未ダビングのシーンＡ、Ｂ、Ｄ、Ｅ、Ｇ、Ｉ、Ｊのみが表示される。
【００３６】
そして、装着されている1枚目のＤＶＤにダビングするシーンのデータを先頭のシーンＡからＤＶＤの残容量を超えない範囲で選択を行う。まず先頭のシーンＡからのデータ量の情報０．５ＧＢを取得し、ＤＶＤの残容量１．４ＧＢ以上になるかの判定を行う。ここでシーンＡの情報が１．４ＧＢ以上の場合などには、ダビングできないエラーメッセなどを表示させる。１．４ＧＢ以下の場合には次のシーンＢのデータ量の情報０．５ＧＢを取得し、先ほどのシーンＡのデータ量に足し合わせる。ここで再度ＤＶＤの残容量１．４ＧＢ以上になるかの判定を行う。シーンＡとシーンＢのデータ量の合計は１．０ＧＢのためＤＶＤの残容量の１．４ＧＢ以下となる。そして、次にシーンＤのデータ量の情報０．５ＧＢを取得し先ほどのデータ量に足し合わせる。同様再度ＤＶＤの残容量と比較すると、シーンＡ、Ｂ、Ｄのデータ量の合計は１．５ＧＢとなり、ＤＶＤの残容量１．４ＧＢ以上になり、一枚目のＤＶＤにはシーンＡ、Ｂがダビング可能であることを判別する。(図１６（d）の1枚目のＤＶＤ)。次に２枚目のＤＶＤにダビング可能なシーンをシーンＣのデータから上記同様に計算する。２枚目にはシーンＤ、Ｅ、Ｇの３シーンがダビング可能となる(図１６（ｄ）の2枚目のＤＶＤ)。同様に３枚目のＤＶＤにはシーンＩ、Ｊがダビング可能となる(図１６（ｄ）の3枚目のＤＶＤ)。なおこの処理は最後の未ダビングのシーンまで行う。
【００３７】
その後、選択シーン算出部１９１によりダビング対象シーンが選択されると、画面情報生成部１９２によりＨＤＤ１５にあるダビング対象シーンに対応するサムネイル画情報を読み出し、ダビング動作の実行を確認するための表示とダビング対象シーンのサムネイル画とを合成したダビング確認画面情報を生成し、映像画面生成部１３に送る。映像画面生成部１３ではダビング確認画面情報を元にダビング確認画面を生成し、映像表示部１８で表示する。そしてユーザはどのシーンがどのＤＶＤにダビングされるのかを確認しダビングを実行する。選択されたシーンのデータがＨＤＤ１５から読み出されて、ＤＶＤドライブ１６に装着されたＤＶＤにダビングする動作が開始される。1枚目のＤＶＤへのダビングが終了すると、図１７で示すようにシーンＡ，Ｂのダビング済み情報をＨＤＤ上のダビング済み管理領域に保存する。1枚目のＤＶＤで全ての選択シーンをダビングできた場合にはダビング処理を終了する。ここで、ダビングしたシーンの削除確認画面にて削除を実行すると、ダビングしたシーンのデータ、ダビング済み情報をＨＤＤ１５から消去して、ダビング処理を終了する。
【００３８】
１枚目のＤＶＤに選択されたダビング対象シーンをダビングした後、ダビング対象シーンの他にダビングされずに残っているシーンがある場合には、画面情報生成部１９２は２枚目のＤＶＤにダビングを続行するためにＤＶＤ交換を要求するダビング継続確認画面情報を生成し、映像画面生成部１３を介して映像表示部１８にダビング継続確認画面を表示する。
【００３９】
ここでユーザがＤＶＤを交換すると、１枚目のＤＶＤのときと同様に、システム制御部１９は本ビデオカメラがダビングできる状態にあるかをチェックし、さらに選択シーン算出部１９１は再度交換したＤＶＤに記録可能なシーンを選択し、画面情報生成部１９２によりダビング確認画面用情報を生成し、映像画面生成部１３を介して映像表示部１８にダビング確認画面を表示する。そして、ユーザは選択されたシーンを確認してダビングを実行する。以降、選択されたシーンがなくなるまで繰り返して、ＤＶＤへ各シーンのデータをダビングする。
【００４０】
上記説明したように、本実施例では、ＨＤＤ１５からＤＶＤへダビングしようとした場合、ＤＶＤに記録されることになるシーンのサムネイル画を自動的に表示している。さらに、1枚のＤＶＤに収まらない場合2枚目のＤＶＤ、3枚目のＤＶＤに記録されるシーンもダビング開始前自動的に表示されるため、どこまでのシーンがどのＤＶＤに記録されることになるかをユーザが容易に認識することができる。また、ビデオカメラ本体にダビングボタン１５０５を設けているので、リモコンを持ち運ばなくてもダビングを開始でき、使い勝手が良い。
【００４１】
（３）動作詳細
ビデオカメラが実行する上述したダビング処理の流れを図２のフローチャートと図３から図１３の画面表示例とを参照しつつ詳細に説明する。ここでは、ＨＤＤ１５には１１のシーンが記録されているものとする。
【００４２】
図２は未ダビングの全シーンダビング処理の流れを示すフローチャートである。なお、特に明記のない場合、フローチャートの処理はシステム制御部１９（選択シーン算出部１９１、画面情報生成部１９２、ダビング情報格納部１９３、サムネイル情報格納部１９４を含む）が実行するものとする。
【００４３】
また、図３はＨＤＤモード時のナビゲーション画面の表示例、図４は未ダビングシーンの検索中の画面表示例、図５は未ダビングシーンのみの画面表示例、図６はダビング開始確認表示例、図７はダビング中画面表示例、図８はダビング完了画面表示例、図９はダビング処理終了確認画面表示例、図１０はダビング継続確認画面表示例、図１１はディスク交換を促がす表示例、図１２はダビング失敗画面表示例、図１３はダビング済シーン削除確認画面表示例、図１４は選択ダビングからの未ダビングシーンの表示例である。
【００４４】
次に図２を用いて未ダビングの全シーンダビングを説明する。
ステップ２０１（図中ではステップをＳＴと表現、以下同じ）で操作部２０の電源・モード切替スイッチ（図１５の１５０８）によりＨＤＤ１５を記録媒体として動作するＨＤＤモードにし、ステップ２０２で操作部２０のディスクナビゲーションボタン（図１５の１５０４）を押下すると、ステップ２０３で、ＨＤＤ１５に記録されているシーンのサムネイル画の一覧（ナビ画面）を図３に示すように表示する。
【００４５】
図３のナビ画面の中央部にはシーンの代表画であるサムネイル画（Ａ〜Ｋ）３０３が表示されている。ここですでにＤＶＤにダビング済みのシーンにはダビング済みマーク３０２が表示されている。画面上部には、タイトルバー３０１に画面のタイトルである「ディスクナビゲーション」と全シーン数「０１１」と、現在選択されているサムネイル画Ａ３０３の番号「００１」を表示している。画面下部には操作ガイド３０４に選択されているサムネイル画のシーンを見るための再生ボタンマークと、本ナビ画面のシーンの記録先であるＨＤＤマークとが表示されている。
【００４６】
ステップ２０４でダビングボタン２０１の押下を検出すると、ステップ２０５でダビング処理を開始する。ステップ２０６で、ダビングモードの画面表示を表示する。なお、ステップ２０２でナビゲーションボタンが押されなくとも、例えば撮影待機中（撮像した画像を画像表示部に表示するカメラスルー中）にダビングボタン２０１が押下されると、ステップ２０６の画面を表示する。また、ダビングボタン２０１が押下されなくとも、ステップ２０３からメニューの選択操作を経て「ダビングモード画面表示」が実行された場合にもステップ２０６を実行する。
【００４７】
ユーザがステップ２０７で未ダビングの全シーンダビングモードを選択すると、システム１９は未ダビングのシーンのみを選択し表示処理まで行う。ここで処理時間がかかる場合などには、図４に示すような未ダビングシーンを検索中である表示などをだしてもよい。
【００４８】
ステップ２０８で、ＤＶＤドライブ１６に装着されているＤＶＤの情報を入手し記録できるか、ＨＤＤ１５にシーンは記録されているか、本ビデオカメラの動作状態等の情報から本ビデオカメラがダビングできる状態にあるかを事前チェックする。チェックの結果ＮＧの場合には、ステップ２２５でダビング処理を終了する。ＯＫの場合にはステップ２０９でどの未ダビングのシーンが何枚目のシーンに入るのかを処理しナビ画面などで表示する。図５の表示例では、シーンＡ、Ｂが1枚目にダビングされ、シーンＤ、Ｅ、Ｇが2枚目にダビングされ、シーンＩ、Ｊが3枚目にダビングされることを色分けなどをして示している。(図５の５０１に示す色枠)。なお、上記のように何枚目のＤＶＤにどの未ダビングシーンがダビングされるか自動的に選択されるが、ユーザがこの選択を変更することも可能である。上記の場合、２枚目にはシーンＤ、Ｅ、Ｇが、３枚目のＤＶＤにはシーンＩ、Ｊが選択されているが、例えば、シーンＧは、シーンＤ，ＥよりもシーンＩ，Ｊと同じＤＶＤにダビングしたいという場合もある。この場合、操作部２０のカーソルボタン（図１５の１５０６）等の操作によりシーンＧをダビングするＤＶＤを２枚目から３枚目に変更するよう指示する。そして、選択シーン算出部１９１は、上述したのと同様、３枚目にダビングされるシーンＧ，Ｉ，Ｊのデータ量を足し合わせ、ＤＶＤの残容量と比較し、ダビング可能であるか判別する。この例では、シーンＧ，Ｉ，Ｊのデータ量の合計は、１．１ＧＢとなり、ＤＶＤの残容量１．４ＧＢ以下なので、ダビング可能であることが判別される。そして、ナビ画面には、選択の変更が反映され、シーンＡ、Ｂが1枚目にダビングされ、シーンＤ、Ｅが2枚目にダビングされ、シーンＧ、Ｉ、Ｊが3枚目にダビングされることを色分けなどをして示す。このようにすると、ダビング実行前に何枚目のＤＶＤにどの未ダビングシーンをダビングするかをユーザが計画することができ、より使い勝手が良くなる。また、タイトルバー５０２には画面のタイトルである「未ダビング全シーンダビング」を表示している。そしてステップ２１０でユーザがダビングするシーンの確認を行う。
【００４９】
図６に示すようにダビング確認画面の中央部にはダビング対象シーンとして選択されたシーンＡ、Ｂ、Ｄ，Ｅに対応するサムネイル画（Ａ、Ｂ，Ｄ，Ｅ）６０１と、ダビング動作の実行を確認するためのダビング確認表示６０２が表示される。画面下部の操作ガイド６０３には、ダビング動作を続行するかどうかを決定するための決定ボタンマークと、選択シーンを確認するためのカーソル上ボタンマークとが表示されている。このダビング確認画面を見て、ユーザは選択されたシーンが意図したものかを判断してから、ダビングを続行またはダビングを中止したりすることができる。さらに、ダビングを実行するかどうかの確認用の表示もサムネイル画と同時に表示しているので、表示されたサムネイル画が意図したものでないときに、直ぐにダビングを中止できるので使い勝手がよい。ダビングを続行する場合は、操作部２０のカーソルボタン（図１５の１５０６）によりダビング確認表示６０２の「はい」を選択し決定ボタンを押下する。ダビングを中止する場合はダビング確認表示６０２の「いいえ」を選択し決定ボタンを押下するとダビング処理を終了し元のナビ画面に戻る。
【００５０】
ダビングを続行した場合には、ステップ２１１で図７に示すようにダビング中を示すダビング中画面を表示し、ダビング動作を開始する。ここで、ダビングするシーンの容量と転送速度や書込速度から所要時間の目安を算出して表示している。そしてダビング終了後に、ステップ２１２でダビングしたシーンがダビング済みであることをＨＤＤに書き込む。ステップ２１３で、ダビング処理が正常に終了したかどうかを判別し、ステップ２１４でダビング終了画面を表示する。（例えば図８のような表示をする）。ダビング処理が正常に終了しなかった場合にはステップ２２０でダビング失敗画面を表示しステップ２２５でダビング処理を終了する。（例えば図１２に示すような表示をする）。正常終了した場合には、ステップ２１５でダビングの継続判定を行い、1枚目のＤＶＤにすべての未ダビングシーンが入りきらない場合、ステップ２１６でダビング継続確認画面表示（図１０）を表示し、ステップ２１７でユーザによってEjectボタン(図１５の１５０９)が押されると、ステップ２１８でディスク挿入要求画面(図１１)を表示し、ステップ２１９で2枚目のＤＶＤを挿入する。そしてステップ２０８から同様の動作を未ダビングのシーンがなくなるまで繰り返す。ステップ２０８でディスクに異常がありダビングできない場合などには、ステップ２２５でダビング処理終了する。
【００５１】
ステップ２１５ですべての未ダビングシーンをダビングしたと判断した場合には、ステップ２２１でダビング済みのシーン削除要求確認画面を表示させる。このダビング済シーン削除確認画面(図１３)で、ユーザがダビング済シーンのデータをＨＤＤ１５から消去しない場合には、図１５のカーソルボタン１５０６によりシーン削除確認表示の「いいえ」(図１３の１３０５)を選択・決定すると、ステップ２２５でダビング処理を終了し元のナビ画面に戻る。シーン削除確認表示の「はい」が選択・決定されると、ステップ２２３でダビング済シーンのデータの消去中を示すシーン削除中画面を表示する。テップ２２４でシーンを削除したことを示すシーン削除終了画面を表示し、ステップ２２５でダビング処理を終了し元のナビ画面に戻る。なお、ダビングが無事に完了した後にＨＤＤ１５に記録されているシーンを削除するかを、ダビング開始前（例えばステップ２１１の前）に選択させるようにしておくと、ユーザがダビングを指示した後に放置しておけば、ダビングと削除とが完了するようになるのでよい。
【００５２】
ダビング終了時には、図９に示すような画面表示を表示してダビング終了をユーザに促がす。ステップ２１７でダビングを中断させる場合には、停止ボタン(図１５の１５１０)を押す。その後ステップ２２１から前記同様の削除処理をおこなう。
【００５３】
以上、未ダビングの全シーンダビング処理について説明した。ここで未ダビングの全シーンダビングとはＨＤＤに記録されている未ダビングの全シーンのデータをダビングするものとして説明したが、ビデオカメラに挿入されているＤＶＤ１枚だけに入るシーンを選択する処理であっても同様である。
【実施例２】
【００５４】
実施例２（シーン指定ダビング処理）を、図２、図１４を用いて説明する。
未ダビングの全シーンを選択する処理について説明したが、未ダビングのシーンのなかでユーザにダビングするシーンを選択させることもできる。この場合、図２のステップ２０６のダビングモードに表示される(選択ダビングモード)をステップ２０７で選択する。そしてステップ２０３のナビ画面からの操作を経由して「未ダビングのシーン指定」が実行されると、シーン指定ダビング処理を実行する。シーンをユーザに指定させるシーン選択画面の一例を図１４に示す。
【００５５】
図１４に示すように、画面中央部には未ダビングのシーンのサムネイル画（Ａ、Ｂ、Ｄ、Ｅ、Ｇ、Ｉ、Ｊ）１４０２と、ユーザによって選択されたダビング対象シーンを示すための色枠１４０３とが表示される。タイトルバー１４０４に画面のタイトルである「未ダビングシーン選択）」を表示している。また、１４０１はＤＶＤの容量を視覚的に示す容量バーであり、バーの左側の斜線は色枠１４０３で既に選択されているシーンの容量合計の目安、バーの右欄（白抜）は記録又は選択されているシーン以外に記録できるＤＶＤの空き容量の目安を示す。このようなバーを表示することで、ユーザはＤＶＤの残容量を考慮しつつダビングするシーンを選択できる。なお選択されているシーンの合計容量はアイコンではなく数値などで表示してもよい。画面下部には操作ガイド１４０４に選択したシーンでのダビングを決定させる決定ボタンの案内と、選択されたシーンを全て解除させる選択全解除ボタンの案内とを表示する。
【実施例３】
【００５６】
実施例３（ダビング済み／未ダビング区別表示の応用）を説明する。
上述の実施例１，２において説明したダビング済み／未ダビングシーンを区別して表示する点は、本ビデオカメラのさらに他の場面においても応用できるので、これを説明する。すなわち、本ビデオカメラにおいては、図１６（ｂ）に示したように、ダビング済み管理領域によって、各シーンのダビング済み／未ダビングの状態が記録されている。このダビング済み／未ダビングの情報は、上述の実施例１，２のダビングの場面において特に有効であるが、次の場面においても効果を有する。
【００５７】
例えば、シーンを削除する場面においても有効である。この場合、まず、図３に示すようなＨＤＤ１５に記録されているシーンのサムネイル画の一覧（ナビ画面）が表示される。ここでは、上述のように、中央部にはシーンの代表画であるサムネイル画（Ａ〜Ｋ）３０３が表示されており、すでにＤＶＤにダビング済みのシーンにはダビング済みマーク３０２が表示されている。この状態で、メニューの選択操作等により「シーン削除」が選択されると、シーンを削除するモードに移行する。ここで、ナビ画面にはダビング済みマーク３０２が表示されているが、ダビング済みまたは未ダビングのシーンから削除するシーンを選択したいという場合がある。そこで、メニューの選択操作等によりダビング済みのみまたは未ダビングのみを表示するようにユーザが指示できるようにする。このような指示がされた場合、システム制御部１９は、１９３のダビング情報格納部からのダビング情報を元に選択シーン算出部１９１でダビング済みシーンと未ダビングシーンを判別し、ダビング済みシーンのみ、または未ダビングシーンのみを選択する。そして選択したダビング済みシーンのみ、または未ダビングシーンのみをナビ画面に表示する。このようにすれば、例えば、ＨＤＤ残容量を増やすためシーン削除したいが、誤って未ダビングシーンを削除してしまうと取り返しがつかないような場合に、ダビング済みシーンのみを表示するようにして、上記のような失敗を回避でき、使い勝手が向上する。
【００５８】
また、例えば、シーンをロック（誤って削除しないように保護）する場面においても有効である。この場合も、上記のシーンを削除する場合と同様に、ナビ画面において「ロック」が選択されると、まずダビング済み／未ダビングシーンが混在して表示されるが、ここでユーザのメニューの選択操作等の指示により、ダビング済みシーンのみ、または未ダビングシーンのみをナビ画面に表示するようにする。このようにすれば、例えば、誤って削除してしまうと取り返しがつかない未ダビングシーンのみを表示させて、この中からロックするシーンを選択するようにすることができ、使い勝手が向上する。あるいは、上記のシーン削除と組み合わせて、まず、ロックにおいてダビング済みシーンのみを表示するようにし、この中から所望のシーンをロックし、つぎにシーン削除においてダビング済みシーンのみを表示して全削除をすれば、必要の無いダビング済みシーンのみを効率的に全て削除することができ、使い勝手が向上する。
【００５９】
その他、上述以外の場面においても、ダビング済み／未ダビングシーンを混在して表示するのに加え、ダビング済みシーンのみ、または未ダビングシーンのみを表示することができるようにし、表示の範囲を狭めることで、ユーザが所望するシーンの選択を容易にし、使い勝手を向上することができる。
【００６０】
以上、実施例１から３を説明した。
【００６１】
以上の実施例では、ステップ２１０でのダビング確認画面表示でダビング対象シーンのサムネイル画とダビング確認表示とを同じ画面に表示するようにしたが、別々に表示するようにしても構わない。例えば、まずサムネイル画を所定時間表示後、ダビング確認表示に切り替えるようにしても良い。
【００６２】
また、ダビング中のボタン操作については、ダビング中は録画ボタンや停止ボタン、電源切等の操作を受け付けないようにすることが望ましい。
【００６３】
また、本発明は上記した実施例に限定されないことは言うまでもなく、本発明の要旨を変えない様々な変形例があり得る。例えば、上記した実施例は本発明を分かりやすく説明するために詳細に説明したものであり、必ずしも説明した全ての構成を備えるものに限定されるものではなく、また、ある実施例の構成の一部を他の実施例の構成に置き換えることも可能であり、また、ある実施例の構成に他の実施例の構成を加えることも可能である。
【図面の簡単な説明】
【００６４】
【図１】ビデオカメラの構成例を示す
【図２】ビデオカメラの未ダビングの全シーンダビングする全体の処理の流れを示す
【図３】ディスクナビゲーション表示例を示す
【図４】未ダビングシーン検索中表示例を示す
【図５】未ダビングシーンのみの全シーンダビング表示例を示す
【図６】未ダビングシーンのみのダビング実行確認画面の表示例を示す
【図７】未ダビングシーンのダビング実行中の画面表示例を示す
【図８】未ダビングシーンのダビング完了の画面表示例を示す
【図９】未ダビングシーンのダビング処理終了の画面表示例を示す
【図１０】未ダビングシーンのダビング継続処理の画面表示例を示す
【図１１】ディスク交換要求の画面表示例を示す
【図１２】未ダビングシーンのダビング失敗の画面表示例を示す
【図１３】未ダビングシーンのダビング済みシーンの削除確認画面の画面表示例を示す
【図１４】未ダビングシーンのみの選択シーンダビング表示例を示す
【図１５】ビデオカメラの外観図を示す
【図１６】ＨＤＤ、ＤＶＤに保存される記録データの概念図を示す
【図１７】ダビング済み管理領域の概念図を示す
【符号の説明】
【００６５】
１１…撮像部、１２…映像処理部、１３…映像画面作成部、１４…符号化・複号化処理部、１５…ＨＤＤ、１６…ＤＶＤドライブ、１７…メモリーカード、１８…映像表示部、１９…システム制御部、２０…操作部、１９１…選択シーン算出部、１９２…画面情報生成部、１９３…ダビング情報格納部、１９４…サムネイル情報格納部、２０１…ダビングボタン、３０１、５０２、１４０４…タイトルバー、３０２…ダビング済みマーク、３０３、６０１、１４０２…サムネイル画、３０４、６０３…操作ガイド、５０１、１４０３…色枠、６０２、１３０５…はい/いいえダイアログ
１４０１…ダビング可能容量表示、１５０４…ディスクナビゲーションボタン、１５０５…ダビングボタン、１５０６…カーソルボタン、１５０７…ＬＣＤ部、１５０８…電源・モード切替スイッチ、１５０９…ＥＪＥＣＴスイッチ、
【図１】
2008140468.tif 000003
【図２】
2008140468.tif 000004
【図３】
2008140468.tif 000005
【図４】
2008140468.tif 000006
【図５】
2008140468.tif 000007
【図６】
2008140468.tif 000008
【図７】
2008140468.tif 000009
【図８】
2008140468.tif 000010
【図９】
2008140468.tif 000011
【図１０】
2008140468.tif 000012
【図１１】
2008140468.tif 000013
【図１２】
2008140468.tif 000014
【図１３】
2008140468.tif 000015
【図１４】
2008140468.tif 000016
【図１５】
2008140468.tif 000017
【図１６】
2008140468.tif 000018
【図１７】
2008140468.tif 000019